(57)【特許請求の範囲】
【請求項１】
ペットの胴体部を少なくとも両前足の周囲から胸部近傍にわたって覆う胴体支持布と、この胴体支持布を胴回りに装着して固定する着脱ベルトと、胴体支持布の左右両側から胴体の上部方向に延出され、胴体支持布を介して胴体を支持可能な持ち手とを備え、
胴体支持布は、胴体の丸みに沿う立体形状を有し、ペットの両前足の周囲、両前足の側部、胸部、及び前腹部に面的に連続して接する裏地と、その表面側の表地とが一体に重ね合わされて形成され、
左右の前足をそれぞれ挿通させる２つの前足挿通口が前記胴体支持布に開設されてその周縁がパイピングされており、
着脱ベルトは基部が胴体支持布の裏地側に縫合されて、胴体支持布の左右外周縁からは遊離させた状態でペットの背部方向に延設されているのに対し、持ち手は胴体支持布の左右の外周縁に接続して架け渡されていることを特徴とするペットの前足用ハーネス。
【発明の詳細な説明】
【技術分野】
【０００１】
本発明は、ペットの歩行を補助するペット用ハーネスに係り、特にペットの前足用のハーネスに関する。
【背景技術】
【０００２】
従来から、犬などに代表されるペットを散歩させるときには、行動範囲を制限するためにリード等を首などの胴体に取り付けて、飼い主と繋ぎとめるようにすることが一般的である。また、このようなリードとは別に、老化にともなってペットの筋力や視力が低下したり、負傷したりしたときには、歩行時のふらつきや転倒を防止するためのペット用の歩行補助具が各種提案されている。
【０００３】
例えば特許文献１に開示されているペット用歩行補助具は、前端に把持部が設けられた左右一対の支持杆の後端部の対向する間隔を、ペットの腰部の幅又は胴部の幅よりも大きくするように設けるとともに、後端部に車輪を夫々回転自由に設けられたものである。そして、支持杆の他端部寄りに立設された支柱杆には天秤棒部材が取り付けられ、その天秤棒部材の一端にはペットの腹部を支承するための吊り上げベルト体が設けられている。また、天秤棒部材の他端には、ペットの胸部に取り付けるハーネスを留め具により夫々着脱自在に設けて、把持部の高さ位置を変えることによってペットを支承するときに生ずる負荷を調節可能に形成されている。かかる歩行補助具をペットに装着させることによって、歩行時の足腰にかかる負荷を軽減し、老化や負傷によって困難になった歩行をサポートできるように意図されている。
【特許文献１】特開２００５−２２号公報
【発明の開示】
【発明が解決しようとする課題】
【０００４】
上記のような歩行補助具は、ペットを安定して支持することができるが、補助具自体が大きく、操作しづらいという問題点がある。また、ペットの前足の周囲や腹部に装着されるハーネスおよびパッドは幅の細いベルト状に形成されて胴体を支持するようになっているので、これらのハーネスやパッドが胴体に食い込んでペットに局部的な負担がかかりやすいという問題点もあった。すなわち、前記従来例のような歩行補助具では、ペットの足腰にかかる負荷は軽減されるが、その分、胴体部への負担が大きくなって装着性の悪いものであった。
【０００５】
そこで本発明は、上記のような問題点にかんがみてなされたものであり、筋力や視力の低下、または負傷等によって歩行が困難になったペットのふらつき、転倒などを防止し、着脱がしやすく、良好な装着性のもとで歩行をサポートすることのできるペットの前足用ハーネスを提供するものである。
【課題を解決するための手段】
【０００６】
上記した目的を達成するため、本発明に係るペットの前足用ハーネスは、ペットの胴体部を少なくとも両前足の周囲から胸部近傍にわたって覆う胴体支持布と、この胴体支持布を胴回りに装着して固定する着脱ベルトと、胴体支持布の左右両側から胴体の上部方向に延出され、胴体支持布を介して胴体を支持可能な持ち手とを備え、胴体支持布は、胴体の丸みに沿う立体形状を有し、ペットの両前足の周囲、両前足の側部、胸部、及び前腹部に面的に連続して接する裏地と、その表面側の表地とが一体に重ね合わされて形成され、
左右の前足をそれぞれ挿通させる２つの前足挿通口が前記胴体支持布に開設されてその周縁がパイピングされており、着脱ベルトは基部が胴体支持布の裏地側に縫合されて、胴体支持布の左右外周縁からは遊離させた状態でペットの背部方向に延設されているのに対し、持ち手は胴体支持布の左右の外周縁に接続して架け渡されていることを特徴とする。
【０００７】
このような構成により、ハーネスを使用したペットの歩行時、ペットの胴体にかかる力を分散することができ、ペットにかかる負担を軽減しつつ歩行を補助することができる。つまり、胴回りに装着される胴体支持布は、胴体の丸みに沿う立体形状を有しているので、ペットの胴体に食い込んだり局部的な負担がかかったりすることがない。また、胴体支持布を固定する着脱ベルトが、胴体支持布からは遊離して背部側へ装着できるので、胴回りへの良好な装着性を確保することができる。さらに、持ち手が、着脱ベルトとは別に設けられて、胴体支持布のみに接続する形態であるので、装着ずれを起こすことなく、飼い主からの補助を胴体に的確に伝えることができる。
【０００８】
また、前記構成のペット用ハーネスにおいて、胴体支持布は、胴体に接する裏地がメッシュ地で形成されていることが好ましい。
【０００９】
このように裏地がメッシュ地からなることで、耐久性や通気性が高められるとともに、ペットにかかる負担を軽減して良好な装着感のもとで長期にわたって使用することが可能となる。このメッシュ地には、通気性、柔軟性、および適度な弾力性のある素材であればどのようなものでもよく、例えばダブルラッセル織物等の編地を用いることが好ましい。
【００１０】
さらに、前記構成のペット用ハーネスにおいて、着脱ベルトは、胴体支持布の左右両側から延設されて左右一対で形成され、少なくとも左右一方の先端部には面ファスナーが備えられて、胴回りに装着した左右のベルトを結着しうることが好ましい。
【００１１】
これにより、着脱ベルトの面ファスナーの係着および解除によってハーネスを着脱する構成とされるので、容易に素早く着脱することができるとともに、ペットの胴回りに適したサイズに調節することも容易に行うことができる。
【００１２】
また、使いやすさを考慮すれば、前記ペット用ハーネスの持ち手には、調節具が介装されて長さ調節自在とされることが好ましい。
【発明の効果】
【００１４】
上述のように構成される本発明のペットの前足用ハーネスによれば、筋力や視力の低下、または負傷等によって歩行が困難になったペットのふらつき、転倒などを防止して、良好な装着性のもとで歩行をサポートすることが可能となる。また、飼い主にとっては、ペットへの着脱がしやすく、使いやすいハーネスとすることができ好ましい。
【発明を実施するための最良の形態】
【００１５】
以下、本発明に係るペットの前足用ハーネスを実施するための最良の形態について、図面を参照しつつ説明する。
【００１６】
図１〜図３は本発明のペットの前足用ハーネスを示し、図１はペットの前足用ハーネスを犬に装着した様子を示す説明図、図２はペットの前足用ハーネスの着脱ベルトをひろげた状態を示す平面図、図３は着脱ベルトを結着した状態を示す斜視図である。
【００１７】
なお、本実施形態では、ペットの前足用ハーネスを犬に適用した例について説明する。また、ハーネスにおける前後および左右の方向性を、説明上、ハーネスを犬に装着させたときの状態を基準として前後または左右を規定し、各部の説明を行うこととする。また、本発明のペットの前足用ハーネスは、犬用のハーネスに適用するに限らず、四足歩行のペット全般に適用することができる。
【００１８】
このハーネス１は、犬５の胴体部を覆う胴体支持布２と、この胴体支持布２を胴体に固定する着脱ベルト３と、胴体支持布２を介して胴体を支持可能とする持ち手４とを備えている。
【００１９】
胴体支持布２は、少なくとも両前足５１，５１の周囲から胸部近傍にわたって覆う大きさに形成されている。例示の形態では、胴体支持布２は両前足５１，５１の周囲、両前足５１，５１の側部、胸部、および前腹部を包囲しうる程度の大きさおよび形状で形成されている。
【００２０】
この胴体支持布２は、犬５の両前足５１，５１の周囲、両前足５１，５１の側部、胸部、および前腹部の周囲の丸みに沿う立体形状を有して形成されている。また、この胴体支持布２には、犬５の左右の前足５１，５１をそれぞれ挿通させて胴体支持布２から出すための前足挿通口２１，２１が設けられている。
【００２１】
また、例示したハーネス１においては、胴体支持布２は、犬に装着した際に犬の胴体に接する裏地２３と、その表面側の表地２２とを一体に重ね合わせて形成されている。このうち、表地２２には、適度な柔軟性と耐久性を備えた素材であればどのようなものが用いられてもよく、例えば、ポリエステル繊維などの合成繊維や、綿などの天然繊維が挙げられる。また、裏地２３には、表層のメッシュ織物と裏層のクッション材とを一体化して、通気性、柔軟性、および適度な弾力性を有するように形成されているダブルラッセル織物などのメッシュ地が用いられることが好ましい。
【００２２】
そして、これらの表地２２および裏地２３を重ね合わせて、外周縁２０と各前足挿通口２１においてパイピングすることによって一体化させ、胴体支持布２が形成されている。
【００２３】
ハーネス１の着脱ベルト３は、胴体支持布２の左右両側から背部方向にそれぞれ延設されている。延設された着脱ベルト３は、左側ベルト３１と右側ベルト３２との左右一対とされ、それぞれは略Ｕ字状の形状をなしている。
【００２４】
これらの左右のベルト３１，３２は、基部３０が胴体支持布２に対して、犬５が装着したとき、ちょうど前足５１，５１の左右両外側の近傍に対応する位置にそれぞれ縫合固定されており、胴体支持布２の左右外周縁２０からは遊離するように設けられている。
【００２５】
また、右側ベルト３２に比して左側ベルト３１は、略Ｕ字状の２本の先端部が長く形成されて係着部３１１が設けられている。この左側ベルト３１の係着部３１１には、それぞれ面ファスナー３１２が添設されている。
【００２６】
これに対し、右側ベルト３２の２本の先端部には、係着部３１１を挿通させることのできる略リング状の掛止具３２１がそれぞれ備えられている。
【００２７】
そして、図３に示すように、左側ベルト３１の係着部３１１を、右側ベルト３２の掛止具３２１に挿通させて、適宜の位置で折り返して重ね合わせることにより係着させることができ、左右のベルト３１，３２が一体に結着されるように構成されている。
【００２８】
なお、このような面ファスナー３１２は、左右いずれか一方のベルト３１，３２に設けるだけでなく、左右のベルト３１，３２の先端部にそれぞれ設けて、これらのベルト３１，３２の先端部が互いに係着しうるように構成されてもよい。
【００２９】
また、ハーネス１の持ち手４は帯状体であり、胴体支持布２の左右の外周縁２０を架け渡すように、犬５の胴体の上部方向に延出されている。この持ち手４が胴体支持布２と接合される部分は、略Ｖ字状に形成されており、胴体支持布２の外周縁２０を前後方向に均等に引くことができるようになっている。また、持ち手４の長さは、例えば飼い主が犬５を散歩させながら把持することができる程度の長さを有するように形成されている。
【００３０】
また、持ち手４には調節具４１が介装されている。この調節具４１によって、持ち手４の長さを自由に調節することができるようになされており、飼い主によって持ち手４を引いたり緩めたりするのに適した長さにすることができる。
【００３１】
さらに、持ち手４には握り部４２が備えられていてもよい。この握り部４２は、ダブルラッセル織物等のメッシュ地を２枚重ね合わせて柔軟性および通気性をもたせ、その外周縁がパイピングされて一体となされて持ち手４の上部に着脱可能に形成されている。すなわち握り部４２は、その内側に図示しない面ファスナー等が添設されており、持ち手４の適宜の場所に巻き付けて固定しうるものとなっている。このような柔軟性や通気性に富む素材で握り部４２が形成されていることにより、ハーネス１の使用時、手にやさしく握りやすい。
【００３２】
かかるハーネス１は、犬の前足５１，５１を胴体支持布２の各前足挿通口２１，２１に通し、着脱ベルト３を胴回りに装着して固定するだけで、使用可能な状態となる。そして、持ち手４を飼い主の好みの長さに調節することで、より使いやすい状態にすることができる。
【００３３】
このとき、前記したようにハーネス１の着脱ベルト３が左右一対で形成されて、面ファスナー３１２の係着および解除によって着脱する構成であるので、犬５の胴回りに適したサイズに容易に調節して使用することができる。
【００３４】
飼い主は、犬５に装着したハーネス１の持ち手４を保持して、引いたり緩めたりすることにより胴体を支持して犬５の歩行を補助する。このとき、持ち手４は胴体支持布２に接続されており、胴体支持布２の外周縁２０と着脱ベルト３とは遊離しているので、装着ずれを起こすことなく、飼い主からの補助を犬５の胴体に的確に伝えることができる。
【００３５】
加えて、本発明のハーネス１は胴体支持布２が犬５の前足５１，５１の周囲から胸部近傍にわたって覆う形状であり、表地２２と裏地２３とを重ね合わせて一体化して形成されているので、犬５の胴体にかかる力を分散させることができる。また、かかる３層構造の胴体支持布２により、良好な通気性および耐久性を得ることができる。
【００３６】
したがって、飼い主は、かかるハーネス１を犬５に装着させることにより、ふらつきや転倒などを防止して、困難になっている歩行を良好な装着性のもとで補助することが可能になる。また、ハーネス１の着脱も容易であるので、犬５に負担をかけることなく使用することができる。
【産業上の利用可能性】
【００３７】
本発明は、犬などのペットの筋力や視力が衰えた際にペットに装着させて、飼い主がペットの歩行を補助するのに好適に利用することができる。
【図面の簡単な説明】
【００３８】
【図１】本発明に係るペットの前足用ハーネスを犬に装着した様子を示す説明図である。
【図２】前記ペットの前足用ハーネスの着脱ベルトをひろげた状態の平面図である。
【図３】前記ペットの前足用ハーネスの着脱ベルトを結着した状態の斜視図である。
【符号の説明】
【００３９】
１      ハーネス
２      胴体支持布
２１    前足挿通口
２２    表地
２３    裏地
３      着脱ベルト
３１    左側ベルト
３１１  係着部
３１２  面ファスナー
３２    右側ベルト
３２１  掛止具
４      持ち手
４１    調節具
【図１】
0004467514.tif 000002
【図２】
0004467514.tif 000003
【図３】
0004467514.tif 000004